(57)【要約】【課題】本発明は、移動通信システムにおける過負荷制御装置及び方法に関するもので、より詳細には、基地局制御機にて過負荷を制御する装置及び方法に関する。【解決手段】本発明の一実施例による過負荷制御装置は予め設定された時間ごとに基地局制御機の負荷情報を測定する負荷測定部と、前記負荷情報と予め設定された臨界値とを比較して過負荷が発生したか否かを判断する過負荷判断部と、前記判断の結果、過負荷が発生した場合は過負荷程度に応じて許容送信出力比率パラメータ値を設定するパラメータ設定部であって、前記許容送信出力比率は基地局の許容送信出力に対する最大送信出力比率であるパラメータ設定部と、前記基地局制御機に収容されている全ての基地局のうち、基地局の総送信出力値が前記基地局の許容送信出力比率パラメータ値により設定された許容送信出力値を超える基地局の新規呼接続設定を制限するように、前記基地局制御機に呼接続設定制御信号を伝送する呼接続設定制御部と、を含むことができる。【選択図】図５
2009522918.tif 000002
【特許請求の範囲】
【請求項１】
移動通信システムにおける過負荷制御装置であって、
予め設定された時間ごとに基地局制御機の負荷情報を測定する負荷測定部と、
前記負荷情報と予め設定された臨界値とを比較して過負荷が発生したか否かを判断する過負荷判断部と、
前記判断の結果、過負荷が発生した場合は過負荷程度に応じて前記基地局制御機に収容された各基地局の許容送信出力比率パラメータを設定するパラメータ設定部であって、前記許容送信出力比率は基地局の許容送信出力に対する最大送信出力比率である、パラメータ設定部と、
前記基地局制御機に収容されている全ての基地局のうち、基地局の総送信出力値が前記基地局の許容送信出力比率パラメータにより設定された許容送信出力値を超える基地局の新規呼接続設定を制限するように、前記基地局制御機に呼接続設定制御信号を伝送する呼接続設定制御部と、を含む過負荷制御装置。
【請求項２】
前記負荷情報は、前記基地局制御機に収容されている各基地局に流入されて設定された呼に関する情報、前記基地局制御機の総送信出力情報であることを特徴とする請求項１に記載の過負荷制御装置。
【請求項３】
前記許容送信出力比率パラメータは、前記基地局制御機の過負荷程度に応じて過負荷等級を分類し、前記過負荷等級により別に設定されることを特徴とする請求項１に記載の過負荷制御装置。
【請求項４】
前記過負荷制御装置は、前記基地局制御機の一部として構成されるか、または別途の装置で構成されて前記基地局制御機と連動することを特徴とする請求項１に記載の過負荷制御装置。
【請求項５】
移動通信システムにおける過負荷を制御する方法であって、
予め設定された時間ごとに負荷情報を測定するステップと、
前記負荷情報と予め設定された臨界値とを比較して過負荷が発生したか否かを判断するステップと、
前記判断の結果、過負荷が発生した場合は過負荷程度に応じて基地局制御機に収容された各基地局の許容送信出力比率パラメータ値を設定するステップであって、前記許容送信出力比率は基地局の許容送信出力に対する最大送信出力比率であるステップと、
前記基地局制御機に収容されている全ての基地局のうち、基地局の総送信出力値が前記基地局の許容送信出力比率パラメータ値により設定された許容送信出力値を超える基地局の新規呼接続設定を制限するように、前記基地局制御機に呼接続設定制御信号を伝送するステップと、を含む過負荷制御方法。
【請求項６】
前記予め設定された時間ごとに負荷情報を測定するステップは、
前記基地局制御機に収容されている各基地局に流入されて設定された呼に関する情報または前記基地局制御機の総送信出力情報を受信するステップを含むことを特徴とする請求項５に記載の過負荷制御方法。
【請求項７】
許容送信出力比率パラメータ値を設定するステップは、
前記基地局制御機の過負荷程度に応じて過負荷等級を分類し、前記過負荷等級に応じて総許容送信出力比率パラメータを設定することを特徴とする請求項５に記載の過負荷制御方法。
【請求項８】
移動通信システムで過負荷を制御する方法を実行する類型化された命令語からなったプログラムが記録された電子装置より判読できる記録媒体であって、
予め設定された時間ごとに負荷情報を測定するステップと、
前記負荷情報と予め設定された臨界値とを比較して過負荷が発生したか否かを判断するステップと、
前記判断の結果、過負荷が発生した場合は過負荷程度に応じて基地局制御機に収容された各基地局の許容送信出力比率パラメータ値を設定するステップであって、前記許容送信出力比率は基地局の許容送信出力に対する最大送信出力比率であるステップと、
前記基地局制御機に収容されている全ての基地局のうち、基地局の総送信出力値が前記基地局の許容送信出力比率パラメータ値により設定された許容送信出力値を超える基地局の新規呼接続設定を制限するように、前記基地局制御機に呼接続設定制御信号を伝送するステップと、を含む過負荷制御方法を実行するプログラムが記録された記録媒体。
【発明の詳細な説明】
【技術分野】
【０００１】
本発明は、移動通信システムにおける過負荷制御装置及び方法に関するもので、より詳細には、基地局制御機で過負荷を制御する装置及び方法に関する。
【背景技術】
【０００２】
移動通信サービスは、１９８０年代後半のアナログセルラー方式のＡＭＰＳ（Ａｄｖａｎｃｅｄ  Ｍｏｂｉｌｅ  Ｐｈｏｎｅ  Ｓｅｒｖｉｃｅ）で提供される低い品質の音声通話を主とする第１世代移動通信サービスの提供から始まり、発展し続けてきた。
【０００３】
第２世代移動通信サービスでは、デジタルセルラー方式のＧＳＭ（Ｇｌｏｂａｌ  Ｓｙｓｔｅｍ  ｆｏｒ  Ｍｏｂｉｌｅ）、ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）などで提供される高品質の音声通話及び低速（１４．４Ｋｂｐｓ）データサービスが可能となった。
【０００４】
また、第２．５世代移動通信サービスでは、ＧＨｚ帯の周波数の確保と共に、全世界的に使用可能なＰＣＳ（Ｐｅｒｓｏｎａｌ  Ｃｏｍｍｕｎｉｃａｔｉｏｎ  Ｓｅｒｖｉｃｅ）が開発され、高品質の音声通話や、低速（１４４Ｋｂｐｓ）であるがデータサービスも可能となった。
【０００５】
第３世代移動通信サービスは、３ＧＰＰ（Ｇｅｎｅｒａｔｉｏｎ  Ｐａｒｔｎｅｒｓｈｉｐ  Ｐｒｏｊｅｃｔ）が主軸になっている非同期方式の移動通信システムと、３ＧＰＰ２が主軸になっている同期方式のＣＤＭＡ−２０００システムとに分けられて提供されている。特に、移動通信システムは、ＩＭＴ−２０００で推奨する無線プロトコルとして全世界的に多くの通信サービス事業者がサービスを提供しているか、またはサービスの提供を準備している。
【０００６】
移動通信システムは高い通話品質で、帯域拡散方式を用いているので、多量のデータ伝送にも適するという長所を有する。
【０００７】
ＷＣＤＭＡ通信方式は音声コーディングのためにＡＭＲ（Ａｄａｐｔａｂｌｅ  Ｍｕｌｔｉ−Ｒａｔｅ）を採用し、ユーザが時速１００ｋｍ程度の速度で動いても通話ができる高い移動性を支援する。
【０００８】
また、ＷＣＤＭＡ通信方式は、最も多い国家が採用している方式であって、韓国、ヨーロッパ、日本、米国、中国などでの多くの機関が３ＧＰＰにおけるＷＣＤＭＡの技術スペック（Ｓｐｅｃ）を発展させ続けている。
【０００９】
通常、サービス提供者またはネットワーク運営者は、通信システムの無線ネットワークを介して様々なマルチメディアデータ及び／または音声通信サービスを異なる別々のユーザに提供する。
【００１０】
このようなデータ及び／または音声通信サービスを提供するために、これらサービス提供者またはネットワーク運営者は、システム容量または処理量を含む無線資源を管理する。
【００１１】
移動通信端末は、一つ以上の基地局を介して通信システム及び相互接続された他の無線遠隔通信システムにアクセスすることができる。基地局によりカバーされる各々の領域をセルという。各々の基地局は、セルをカバーするのに十分なパイロット出力レベルで電波を送信するように設定される。パイロットチャンネルはダウンリンクでブロードキャスト（ｂｒｏａｄｃａｓｔ）してセル識別及び受信レベルを測定する。
【００１２】
図１は、従来の基地局制御機にて過負荷を制御する方法を説明するための図面である。
【００１３】
図１に示すように、基地局制御機（Ｒａｄｉｏ  Ｎｅｔｗｏｒｋ  Ｃｏｎｔｒｏｌｌｅｒ、ＲＮＣともいう）１１０と複数基地局１２０乃至１７０とは、Ｔ１／Ｅ１回線または回路、ＡＴＭ仮想回路、ケーブル、光学デジタル加入者回線（ＤＳＬ）などの一つ以上の接続により繋がることができる。通常、基地局制御機１１０は繋がっている基地局１２０乃至１７０を制御し、ハンドオーバの実行、動作時間及びシステムの管理サービスを提供する。
【００１４】
基地局制御機１１０は過負荷が発生すると、これを制御するために基地局制御機１１０に流入する発信呼、着信呼、位置登録回数などを制限する。この場合、基地局制御機１１０にて制限される発信呼、着信呼、位置登録回数などは基地局制御機１１０単位で流入する呼を考慮するため、当該基地局制御機１１０に繋がっている基地局１２０乃至１７０別に流入する呼の差は反映しない。しかし、通常、基地局制御機１１０に多量の呼が流入して過負荷が発生する場合は、全ての基地局１２０乃至１７０から多量の呼が流入して発生することではなく、特定地域の一部基地局（例えば、１２０、１３０、１４０）から多量の呼が流入して発生されることがほとんどである。
【００１５】
したがって、基地局制御機１１０が過負荷を制御するためには、全ての流入呼を制御するのではなく、多量の呼が流入する特定地域の一部基地局（例えば、１２０、１３０、１４０）からの呼だけを制御すれば、基地局制御機１１０の過負荷をより効率的に解消することができる。
【発明の開示】
【発明が解決しようとする課題】
【００１６】
本発明の目的は、基地局制御機にて過負荷が発生する場合、過負荷を引き起こす地域の基地局を対象にして集中的に呼を制御し、迅速で効率的に過負荷を制御する過負荷制御装置及び制御方法を提供することにある。
【００１７】
本発明の他の目的は、基地局制御機における過負荷を効率的に制御して、出力増幅器の劣化及び既に設定された呼の品質低下を防止できる過負荷制御装置及び制御方法を提供することにある。
本発明の以外の目的は下記の説明を通して容易に理解できよう。
【課題を解決するための手段】
【００１８】
本発明の一側面によれば、移動通信システムにおける過負荷制御装置が提供される。
【００１９】
本発明の一実施例に係る過負荷制御装置は、予め設定された時間ごとに基地局制御機の負荷情報を測定する負荷測定部と、前記負荷情報と予め設定された臨界値とを比較して過負荷の発生可否を判断する過負荷判断部と、前記判断の結果、過負荷が発生した場合は過負荷程度に応じて許容送信出力比率パラメータ値を設定するパラメータ設定部であって、前記許容送信出力比率は基地局の許容送信出力に対する最大送信出力比率である、パラメータ設定部と、前記基地局制御機に収容された全ての基地局中、基地局の総送信出力値が前記基地局の許容送信出力比率パラメータ値により設定された許容送信出力値を超える基地局の新規呼接続設定を制限するように、前記基地局制御機に呼接続設定制御信号を伝送する呼接続設定制御部と、を含むことができる。
【００２０】
本発明の他の側面によれば、移動通信システムにおける過負荷を制御する方法が提供される。
【００２１】
本発明の一実施例による移動通信システムにおける過負荷制御方法は、予め設定された時間ごとに負荷情報を測定するステップと、前記負荷情報と予め設定された臨界値とを比較して過負荷の発生可否を判断するステップと、前記判断の結果、過負荷が発生した場合は過負荷程度に応じて許容送信出力比率パラメータ値を設定するステップであって、前記許容送信出力比率は許容送信出力に対する最大送信出力比率である、ステップと、前記基地局制御機に収容された全ての基地局中、基地局の総送信出力値が前記基地局の許容送信出力比率パラメータ値により設定された許容送信出力値を超える基地局の新規呼接続設定を制限するように、前記基地局制御機に呼接続設定制御信号を伝送するステップと、を含むことができる。
【００２２】
本発明は多様な変換を加えることができ、様々な実施例を有することができるため、本願では特定実施例を図面に例示し、詳細に説明する。しかし、これは本発明を特定の実施形態に限定するものではなく、本発明の思想及び技術範囲に含まれるあらゆる変換、均等物及び代替物を含むものとして理解されるべきである。各図面には類似した参照符号を類似している構成要素に使用した。
【００２３】
「第１」、「第２」などのような序数を含む用語は、多様な構成要素を説明するのに用いることに過ぎなく、前記構成要素が前記用語により限定されるものではない。前記用語は一つの構成要素を他の構成要素から区別する目的だけに用いられる。例えば、本発明の権利範囲内における第１構成要素は第２構成要素であると命名されることができ、同様に第２構成要素も第１構成要素であると命名されることができる。「及び」／「または」という用語は、複数の関連のある記載項目の組み合いまたは複数の関連のある記載項目のうち何れかの項目を含む。
【００２４】
ある構成要素が他の構成要素に「連結」あるいは「接続」されていると記載された時には、その他の構成要素に直接的に連結されているか、または接続されていることもでき、中間に他の構成要素が存在することもできると理解しなければならない。反面、ある構成要素が他の構成要素に「直接連結」あるいは「直接接続」されていると記載された時には、中間に他の構成要素が存在しないと理解しなければならない。
【００２５】
本願で用いた用語は、ただ特定の実施例を説明するために用いたものであって、本発明を限定するものではない。単数の表現は、文の中で明らかに表現しない限り、複数の表現を含む。本願において、「含む」または「有する」などの用語は明細書上に記載された特徴、数字、段階、動作、構成要素、部品、またはこれらを組み合わせたものの存在を指定するものであって、一つまたはそれ以上の他の特徴や数字、段階、動作、構成要素、部品、またはこれらを組み合わせたものの存在または付加可能性を予め排除するものではないと理解しなくてはならない。
【００２６】
他に定義しない限り、技術的または科学的用語を含んで、ここで用いられる全ての用語は、本発明が属する技術分野で通常の知識を有する者によって一般的に理解されるものと同一の意味を有する。一般的に用いられる予め定義しているような用語は、関連技術の文脈上の意味と一致する意味を有すると解釈すべきで、本願で明らかに定義しない限り、理想的または過度に形式的意味に解釈しない。
【発明を実施するための最良の形態】
【００２７】
以下、添付した図面を参照して本発明による好ましい実施例を詳細に説明し、本発明を説明するに当たって、図面番号に拘わらず同一かつ対応する構成要素には同一の図面符号を付し、これに対する重複説明は省略する。本発明を説明するに当たって、係る公知技術に対する具体的な説明が本発明の要旨をかえって不明にすると判断される場合、その詳細な説明を省略する。
【００２８】
本発明は、様々な移動通信システムに適用できるものであって、以下では主にＷＣＤＭＡ移動通信システムを例に挙げて説明する。
【００２９】
図２は、本発明の好ましい一実施例による過負荷制御装置を説明するための図面である。
【００３０】
本発明に係る過負荷制御装置４００は、基地局制御機（ＲＮＣ）２１０に接続していて、過負荷が発生すると呼許容制御（Ｃａｌｌ  Ａｄｍｉｓｓｉｏｎ  Ｃｏｎｔｒｏｌ）機能が動作し、集中トラフィック（Ｔｒａｆｆｉｃ）が流入した基地局（例えば、２２０、２３０、２４０）に対してだけ流入呼を制御するため、効率的に過負荷を解消することができる。
【００３１】
図２に示すように、基地局制御機２１０は、基地局制御機２１０の過負荷を制御する過負荷制御装置４００と接続している。
【００３２】
基地局制御機２１０と複数基地局２２０乃至２７０とは、Ｔ１／Ｅ１回線または回路、ＡＴＭ仮想回路、ケーブル、光学デジタル加入者回線（ＤＳＬ）などの一つ以上の接続により繋がっている。
【００３３】
基地局制御機２１０は、接続している基地局２２０乃至２７０を制御し、ハンドオーバ実行、動作時間及びシステムの管理サービスを提供する。
【００３４】
基地局２２０乃至２７０は、基地局制御機２１０の制御により移動通信端末（図示せず）と音声通信及びデータ通信を行う。
【００３５】
基地局２２０乃至２７０は、総送信出力情報を過負荷制御装置４００に伝送する。ここで、総送信出力情報とは、予め設定された周期内に呼を送信するにかかる総出力情報をいい、例えば、基地局２２０乃至２７０で測定されたＥｃ／Ｉｏ（Ｅｎｅｒｇｙ  ｏｆ  Ｃａｒｒｉｅｒ  ／  Ｉｎｔｅｒｆｅｒｅｎｃｅ  ｏｆ  Ｏｔｈｅｒ’ｓ）であり得る。
【００３６】
基地局２２０乃至２７０は、基地局制御機２１０の過負荷程度に応じて設定された許容送信出力比率により呼接続設定が制限される。
【００３７】
例えば、一部基地局（例えば、２２０、２３０、２４０）の総送信出力が他の基地局より高くて基地局制御機２１０に過負荷が発生すると、過負荷程度に応じて設定された許容送信出力比率により基地局制御機２１０は一部基地局（例えば、２２０、２３０、２４０）の新規呼に対して呼接続設定を許容しない。
【００３８】
したがって、基地局制御機２１０は、トラフィックの多い一部基地局（例えば、２２０、２３０、２４０）だけ制御して基地局制御機２１０の過負荷を制御することができる。
【００３９】
過負荷制御装置４００は、基地局制御機２１０の過負荷を測定し、基地局制御機２１０の過負荷程度に応じて呼許容制御（Ｃａｌｌ  Ａｄｍｉｓｓｉｏｎ  Ｃｏｎｔｒｏｌ）を行う。
【００４０】
過負荷制御装置４００は、呼許容制御を通して集中トラフィックが流入した基地局（例えば、２２０、２３０、２４０）に対してだけ流入呼を制御するように基地局制御機２１０を制御する。
【００４１】
ここで、基地局制御機２１０の過負荷の測定は、全ての基地局２２０乃至２７０から流入して設定された呼の数または基地局制御機２１０の総送信出力であり得る。
【００４２】
過負荷制御装置４００は、全ての基地局２２０乃至２７０から、各基地局の総送信出力値を予め設定された周期ごとに受信し、集中トラフィックが流入された基地局を判断できる。
【００４３】
過負荷制御装置４００は、基地局制御機２１０の過負荷が発生すると、過負荷に応ずる許容送信出力比率を設定する。
【００４４】
過負荷制御装置４００は許容送信出力比率を設定して相対的にトラフィックの多い基地局に対してはそれ以上新規呼が設定できないように基地局制御機２１０を制御する。
【００４５】
したがって、過負荷制御装置４００はトラフィックが集中的に流入される基地局に対してだけ呼接続設定を制御し、基地局制御機２１０の過負荷を制御することができる。
【００４６】
過負荷制御装置４００については図４でより詳しく説明する。
【００４７】
図３は、本発明の好ましい一実施例による過負荷制御方法を説明するための図面である。
【００４８】
許容送信出力比率とは基地局２２０乃至２７０の許容送信出力に対する最大送信出力の比率のことで、次のように算出することができる。
許容送信出力比率＝許容送信出力（Ｃａｌｌ  Ａｄｍｉｓｓｉｏｎ  Ｐｏｗｅｒ）／最大送信出力（Ｍａｘ  Ｔｘ  Ｐｏｗｅｒ）×１００
【００４９】
ここで、最大送信出力は各基地局の装備の種類や出力環境に応じて異なり得るものであり、最大送信出力は設計者または運用者により予め設定されることができる。
【００５０】
前述したように、過負荷制御装置４００は基地局制御機２１０の過負荷程度に応じて設定された許容送信出力比率によりトラフィックの多い一部基地局（例えば、２２０、２３０、２４０）の新規呼に対して呼接続設定を許容しないように基地局制御機２１０を制御する。
【００５１】
したがって、基地局制御機２１０における過負荷を制御できるようになる。
【００５２】
以下では、図３の（ａ）及び（ｂ）を参照しながら過負荷制御方法をより詳しく説明する。
【００５３】
基地局制御機２１０の過負荷程度に応じて設定された許容送信出力比率による許容送信出力が基地局の総送信出力より大きい場合、過負荷制御装置４００は一部基地局（例えば、２５０、２６０、２７０）の新規呼接続設定を許容し続けるように基地局制御機２１０を制御する。
【００５４】
しかし、基地局制御機２１０の過負荷程度に応じて設定された許容送信出力比率による許容送信出力が基地局の総送信出力に比べて同じか、または小さい場合、過負荷制御装置４００は当該基地局の新規呼接続設定ができないように基地局制御機２１０を制御する。
【００５５】
例えば、基地局制御機２１０の過負荷程度に応じて設定された許容送信出力比率が９０％であると、基地局の最大送信出力値の９０％に該当する値が許容送信出力値として設定される。
【００５６】
したがって、基地局制御機に所属された基地局中、最大送信出力値の９０％に該当する許容送信出力が総送信出力より大きい基地局には新規呼が許容される。しかし、基地局制御機に所属された基地局中、最大送信出力値の９０％に該当する許容送信出力が総送信出力より小さいか、同じである基地局には新規呼が許容されない。
【００５７】
図４は、本発明の好ましい一実施例による過負荷制御装置のブロック構成図である。
【００５８】
図４に示すように、過負荷制御装置４００は予め設定された時間ごとに基地局制御機２１０の負荷情報を測定する負荷測定部４１０、負荷情報と予め設定された臨界値とを比較して過負荷が発生したか否かを判断する過負荷判断部４２０、過負荷程度に応じて許容送信出力比率パラメータを制御するパラメータ設定部４３０、及び過負荷程度に応じて設定された許容送信出力比率パラメータにより基地局２２０乃至２７０のうちのトラフィックの多い基地局の新規呼接続設定を許容するか否かを制御する制御信号を伝送する呼接続設定制御部４４０を含む。ここで、過負荷制御装置４００は基地局制御機２１０の一部として含まれることができ、別の装置として基地局制御機２１０に繋がれて連結されることもできる。
【００５９】
負荷測定部４１０は、予め設定された時間ごとに基地局制御機２１０の負荷情報を測定する。ここで、基地局制御機２１０の負荷情報は、基地局制御機２１０に繋がれた基地局２２０乃至２７０に流入されて設定された呼の数または基地局制御機２１０の総送信出力であり得る。
【００６０】
過負荷判断部４２０は負荷測定部４１０から受信された基地局制御機２１０の負荷情報と予め設定された臨界値とを比較して基地局制御機２１０の過負荷を判断する。
【００６１】
過負荷判断部４２０は、基地局制御機２１０の過負荷程度に応じてマイナー等級、メイジャー等級、及び臨界等級に分類し、分類された等級に応じて過負荷を制御する許容送信出力比率パラメータが設定される。これは過負荷によりシステムのリソースを効率的に管理するためである。
【００６２】
パラメータ設定部４３０は、過負荷程度に応じて許容送信出力比率パラメータを設定する。ここで、基地局制御機２１０の過負荷程度に応じて設定される許容送信出力比率パラメータは次の表１の通りである。
【００６３】
【表１】
2009522918.tif 000003
【００６４】
許容送信出力比率パラメータは、過負荷によりマイナー等級、メイジャー等級、及び臨界等級に分類される。ここで、分類基準は基地局制御機２１０の装備及び周辺環境に応じて異なり得るものであり、設計者または運用者が予め設定することができる。
【００６５】
ここで、マイナー等級は基地局制御機２１０の過負荷が低い時の等級であり、メイジャー等級は基地局制御機２１０の過負荷が激しい時の等級であり、臨界等級は基地局制御機の過負荷がさらに激しい時の等級である。
【００６６】
したがって、マイナー等級の許容送信出力比率はメイジャー等級の許容送信出力比率より高く設定されることができる。また、メイジャー等級の許容送信出力比率は臨界等級の許容送信出力比率より高く設定されることができる。これは過負荷程度に応じてシステムの資源を効率的に管理するためである。
【００６７】
呼接続設定制御部４４０は、基地局制御機２１０の過負荷程度に応じて設定された前述の表１のような許容送信出力比率パラメータにより、基地局２２０乃至２７０のうちのトラフィックの多い基地局の新規呼接続設定を許容するが否かを制御する制御信号を基地局制御機２１０に伝送する。
【００６８】
呼接続設定制御部４４０は、移動通信システムの運用サーバーと連動して各基地局の最大送信電力情報を格納する。
【００６９】
また、呼接続設定制御部４４０は、トラフィックの多い基地局２２０乃至２７０を判断するために、基地局制御機２１０に収容された全ての基地局２２０乃至２７０の総送信出力情報を受信する。
【００７０】
ここで、総送信出力情報とは、予め設定された周期内に呼を送信するにかかる総送信出力情報をいい、基地局２２０乃至２７０のＥｃ／Ｉｏ（Ｅｎｅｒｇｙ  ｏｆ  Ｃａｒｒｉｅｒ  ／Ｉｎｔｅｒｆｅｒｅｎｃｅ  ｏｆ  Ｏｔｈｅｒ’ｓ）であり得る。
【００７１】
呼接続設定制御部４４０は、基地局ごとに総送信出力（Ｔｏｔａｌ  Ｔｘ  Ｐｏｗｅｒ）が予め設定された許容送信出力比率に応ずる許容送信出力を超える基地局に対してだけ新規呼接続設定を制限する制御信号を生成し、基地局制御機２１０を制御する。ここで、呼接続設定制御部４４０は、格納された基地局ごとの最大送信出力情報を用いて予め設定された許容送信出力比率に対応した基地局ごとの許容送信出力を算出できるので、基地局ごとの許容送信出力と基地局ごとの総送信出力とを比較することが可能である。
【００７２】
図５は、本発明の好ましい一実施例に係る過負荷制御方法のフローチャートである。
【００７３】
ステップＳ５１０で、過負荷制御装置４００は、予め設定された時間ごとに基地局制御機２１０の負荷情報を測定する。ここで、基地局制御機２１０の負荷情報は基地局制御機２１０に接続された基地局２２０乃至２７０に流入されて設定された呼の数または基地局制御機２１０の総送信出力であり得る。
【００７４】
ステップＳ５２０で、過負荷制御装置４００は、基地局制御機２１０で測定された負荷情報と予め設定された臨界値とを比較して基地局制御機２１０に過負荷が発生したかを判断する。基地局制御機２１０に過負荷が発生したと判断されると、各過負荷等級に該当する過負荷制御アルゴリズムに該当する動作を行う。
【００７５】
ステップＳ５３０で、過負荷制御装置４００は、基地局制御機２１０に過負荷が発生したと判断されると、基地局制御機２１０の過負荷をマイナー等級、メイジャー等級、及び臨界等級に分類する。ここで、マイナー等級は基地局制御機２１０の過負荷が弱い状態であり、臨界等級は基地局制御機２１０の過負荷が最も激しい状態を示す。したがって、マイナー等級の許容送信出力比率パラメータはメイジャー等級の許容送信出力比率パラメータより高く設定でき、メイジャー等級の許容送信出力比率パラメータは臨界等級の許容送信出力比率パラメータより高く設定できる。
【００７６】
過負荷制御装置４００は、分類された過負荷等級に応じて過負荷を制御する許容送信出力比率パラメータを別に設定できる。これは過負荷程度に応じてシステムの資源を効率的に管理するためである。
【００７７】
ステップＳ５４０で、過負荷等級がマイナー等級であれば、基地局制御機２１０に収容されている全ての基地局２２０乃至２７０の許容送信出力比率パラメータを予め設定されたマイナー許容送信出力比率と設定する。
【００７８】
ステップＳ５５０で、過負荷等級がメイジャー等級であれば、基地局制御機２１０に収容されている全ての基地局２２０乃至２７０の許容送信出力比率パラメータを予め設定されたメイジャー許容送信出力比率と設定する。
【００７９】
ステップＳ５６０で、過負荷等級が臨界等級であれば、基地局制御機２１０に収容されている全ての基地局２２０乃至２７０の許容送信出力比率パラメータを予め設定された臨界許容送信出力比率と設定する。
【００８０】
ステップＳ５７０で、過負荷制御装置４００は、過負荷等級に対応する許容送信出力比率パラメータに応ずる許容送信電力より総送信出力の高い基地局に対してだけ新規呼の設定を制限する制御信号を生成して基地局制御機２１０に伝送する。
【００８１】
したがって、相対的にトラフィックの多い基地局に対して集中的な呼制御を行うことにより、迅速で効率的に基地局制御機２１０の過負荷を制御できる。
【００８２】
本発明の方法は、プログラムで具現されてコンピュータで読み込むことができる記録媒体（ＣＤ−ＲＯＭ、ＲＡＭ、ＲＯＭ、フロッピー（登録商標）ディスク、ハードディスク、光磁気ディスクなど）に格納することができる。
【産業上の利用可能性】
【００８３】
本発明に係る過負荷制御装置及び方法は基地局制御機にて過負荷の発生時、過負荷誘発地域の基地局に対して集中的な呼制御を行うことにより、迅速で効率的に過負荷を制御できる効果がある。
【００８４】
本発明は、基地局制御機における効率的な過負荷制御により、出力増幅器の劣化及び予め設定されている呼に対する品質低下等を防止できる効果がある。
【００８５】
以上では、本発明の好ましい実施例を参照して説明したが、当該技術分野で通常の知識を有する者であれば、特許請求の範囲に記載された本発明の思想及び領域から逸脱しない範囲内で本発明を多様に修正及び変更することができることを理解できよう。
【図面の簡単な説明】
【００８６】
【図１】従来の基地局制御機における過負荷を制御する方法を説明するための図面である。
【図２】本発明の一実施例による基地局制御機における過負荷を制御する方法を説明するための図面である。
【図３】本発明の一実施例による基地局制御機における過負荷を制御する方法を説明するための図面である。
【図４】本発明の一実施例による過負荷制御装置のブロック構成図である。
【図５】本発明の一実施例による過負荷制御方法のフローチャートである。
【符号の説明】
【００８７】
２１０：基地局制御機
２２０〜２７０：基地局
４００：過負荷制御装置
４１０：負荷測定部
４２０：過負荷判断部
４３０：パラメータ設定部
４４０：呼接続設定制御部
【図１】
2009522918.tif 000004
【図２】
2009522918.tif 000005
【図３】
2009522918.tif 000006
【図４】
2009522918.tif 000007
【図５】
2009522918.tif 000008
【国際調査報告】
2009522918.tif 000009
2009522918.tif 000010